(57)【特許請求の範囲】
【請求項１】
無線回線上のデータの送受信順序を制御するとともにシグナリング信号を周期的に送信し、通信時には前記シグナリング信号とユーザ情報の有無により異なる送信電力で送信を行うＣＤＭＡ移動通信システムの無線端末装置であって、
ユーザ情報又はシグナリング信号を含む信号を受信する無線受信手段と、
ユーザ情報又はシグナリング信号を含む信号を送信する無線送信手段と、
前記無線受信手段及び前記無線送信手段に接続され、シグナリング信号を前記無線送信手段に周期的に出力するＲＬＣ手段と、
前記無線受信手段から前記ＲＬＣ手段を経由して入力された前記受信信号に基づいて無線インターフェースの設定を行うとともに、前記ＲＬＣ手段に対して前記シグナリング信号の送信停止を通知するプロトコル処理手段とを具備し、
通信中においては、前記無線送信手段が、前記ユーザ情報に前記シグナリング信号を挿入した送信信号を送信し、
無線特性試験中においては、前記ＲＬＣ手段が、前記プロトコル処理手段からの通知に基づいて前記シグナリング信号の送信を停止し、前記無線送信手段が、一定の送信電力でユーザ情報のみからなる送信信号を送信することを特徴とする無線端末装置。
【請求項２】
試験装置から送信されたユーザ情報データである被測定用信号を受信して折り返し送信する折り返し手段を具備することを特徴とする請求項１記載の無線端末装置。
【請求項３】
無線回線上のデータの送受信順序を制御するとともにシグナリング信号を周期的に送信するＲＬＣ手段を具備し、通信時にはシグナリング信号とユーザ情報の有無により異なる送信電力で送信を行うＣＤＭＡ移動通信システムの無線端末装置の無線特性試験を行う試験装置であって、
前記無線特性試験開始前に前記無線端末装置に対して無線インターフェースの設定を行う制御手段と、
前記無線インターフェースの設定内容に基づいて前記無線送信特性試験を行うための被測定用信号を生成して前記無線端末装置に送信する被測定用信号生成手段と、
前記無線端末装置にて折り返し送信された後、受信した前記被測定用信号に基づいて無線特性評価を行う被測定用信号判定手段と、を具備し、
前記制御手段は、前記無線特性試験中において前記無線端末装置に対して前記シグナリング信号の送信停止を指示し、前記ユーザ情報のみからなる送信信号を一定の送信電力で送信させることを特徴とする試験装置。
【請求項４】
前記無線端末装置に無線インターフェースを介して無線接続し、前記制御手段は、前記シグナリング信号の送信停止の指示を無線で行うことを特徴とする請求項３記載の試験装置。
【請求項５】
前記無線端末装置に外部インターフェースを介して有線接続し、前記制御手段は、前記シグナリング信号の送信停止の指示を有線で行うことを特徴とする請求項３記載の試験装置。
【発明の詳細な説明】
【技術分野】
【０００１】
本発明は、ＣＤＭＡ移動通信システムに用いられる無線端末装置、及び、この無線端末装置に無線送信特性試験及び無線機能試験を行う試験装置に関する。
【背景技術】
【０００２】
ＣＤＭＡ移動通信システムの移動端末装置は、シグナリング信号を送受信する機能と、ユーザ情報を送受信する機能を有し、送信電力はその２種類の信号の有無により決定される。
【０００３】
この移動端末装置に対するレイヤ１の無線送信特性試験では、試験装置が移動端末装置に被測定用信号をユーザ情報として送信し、移動端末装置がループバック機能を用いて試験装置に被測定用信号をユーザ情報として折り返し送信する。
【０００４】
この無線送信特性試験では、送信電力が一定であることが望ましい。ところが、シグナリング信号は間欠的に送信されるため、送信電力を一定にするための何らかの対策が必要となる。
【０００５】
従来の試験方法では、通信端末装置が、シグナリング信号が送信されない期間において付加信号を送信（以下、「ダミー送信」という）することにより上りの送信電力を一定にしている。
【特許文献１】特開２０００−２２７８０号公報
【特許文献２】特開２０００−２５８５６３号公報
【発明の開示】
【発明が解決しようとする課題】
【０００６】
しかしながら、ダミー送信を行うことは無線送信特性試験以外では不要な機能であり、従来の試験方法ではこの無線送信特性試験のためだけに必要な機能を移動端末装置に実装しなければならないという問題がある。
【０００７】
本発明はかかる点に鑑みてなされたものであり、無線送信特性試験のためだけに必要な機能を移動端末装置に実装しなくても一定の送信電力で無線送信特性試験を行うことができる無線端末装置及び試験装置を提供することを目的とする。
【課題を解決するための手段】
【０００８】
本発明の無線端末装置は、無線回線上のデータの送受信順序を制御するとともにシグナリング信号を周期的に送信し、通信時には前記シグナリング信号とユーザ情報の有無により異なる送信電力で送信を行うＣＤＭＡ移動通信システムの無線端末装置であって、ユーザ情報又はシグナリング信号を含む信号を受信する無線受信手段と、ユーザ情報又はシグナリング信号を含む信号を送信する無線送信手段と、前記無線受信手段及び前記無線送信手段に接続され、シグナリング信号を前記無線送信手段に周期的に出力するＲＬＣ手段と、前記無線受信手段から前記ＲＬＣ手段を経由して入力された前記受信信号に基づいて無線インターフェースの設定を行うとともに、前記ＲＬＣ手段に対して前記シグナリング信号の送信停止を通知するプロトコル処理手段とを具備し、通信中においては、前記無線送信手段が、前記ユーザ情報に前記シグナリング信号を挿入した送信信号を送信し、無線特性試験中においては、前記ＲＬＣ手段が、前記プロトコル処理手段からの通知に基づいて前記シグナリング信号の送信を停止し、前記無線送信手段が、一定の送信電力でユーザ情報のみからなる送信信号を送信する構成を採る。
【０００９】
本発明の無線端末装置は、試験装置から送信されたユーザ情報データである被測定用信号を受信して折り返し送信する折り返し手段を具備する構成を採る。
【００１０】
本発明の試験装置は、無線回線上のデータの送受信順序を制御するとともにシグナリング信号を周期的に送信するＲＬＣ手段を具備し、通信時にはシグナリング信号とユーザ情報の有無により異なる送信電力で送信を行うＣＤＭＡ移動通信システムの無線端末装置の無線特性試験を行う試験装置であって、前記無線特性試験開始前に前記無線端末装置に対して無線インターフェースの設定を行う制御手段と、前記無線インターフェースの設定内容に基づいて前記無線送信特性試験を行うための被測定用信号を生成して前記無線端末装置に送信する被測定用信号生成手段と、前記無線端末装置にて折り返し送信された後、受信した前記被測定用信号に基づいて無線特性評価を行う被測定用信号判定手段と、を具備し、前記制御手段は、前記無線特性試験中において前記無線端末装置に対して前記シグナリング信号の送信停止を指示し、前記ユーザ情報のみからなる送信信号を一定の送信電力で送信させる構成を採る。
【００１１】
本発明の試験装置は、前記無線端末装置に無線インターフェースを介して無線接続し、前記制御手段は、前記シグナリング信号の送信停止の指示を無線で行う構成を採る。
【００１２】
本発明の試験装置は、前記無線端末装置に外部インターフェースを介して有線接続し、前記制御手段は、前記シグナリング信号の送信停止の指示を有線で行う構成を採る。
【００１３】
これらの構成により、無線送信特性試験を行う際にＲＬＣ機能により間欠送信される信号の送信を停止することができるので、無線送信特性試験のためだけに必要な機能を無線端末装置に実装しなくても一定の送信電力で無線送信特性試験を行うことができる。
【発明の効果】
【００１４】
本発明によれば、試験項目が無線送信特性試験の場合、無線端末装置のシグナリング信号の送信を停止させることができるので、無線送信特性試験のためだけに必要な機能を無線端末装置に実装しなくても一定の送信電力で無線送信特性試験を行うことができる。
【発明を実施するための最良の形態】
【００１５】
本発明の発明者は、無線送信特性試験においてシグナリング信号が不要である点に着目し、本発明をするに至った。すなわち、本発明の骨子は、試験の種類を判断し、無線送信特性試験の際に、移動端末装置からのシグナリング信号の送信を停止させる制御を試験装置に実施させることである。
【００１６】
以下、本発明の実施の形態について、添付図面を参照して詳細に説明する。
【００１７】
（実施の形態）
図１は、本発明の一実施の形態に係る試験装置及び移動端末装置の構成を示すブロック図である。
【００１８】
図１の試験装置１００は、プロトコル処理部１０１と、ＲＬＣ（Radio Link Control）部１０２と、ＭＡＣ（Media Access Control）部１０３と、レイヤ１送信部１０４と、レイヤ１受信部１０５と、被測定用信号生成部１０６と、ＰＤＣＰ（Packet Data Convergence Protocol）部１０７と、被測定用信号判定部１０８と、移動端末ＲＬＣ制御部１０９と、これらの制御を行う制御部１１０とから主に構成されている。
【００１９】
図１の移動端末装置１５０は、プロトコル処理部１５１と、ＲＬＣ部１５２と、ＭＡＣ部１５３と、レイヤ１送信部１５４と、レイヤ１受信部１５５と、折り返し部１５６と、ＰＤＣＰ部１５７と、外部インターフェース１５８と、これらの制御を行う制御部１５９とから主に構成されている。
【００２０】
図１の送信電力測定装置２００は、移動通信端末装置から送信された信号の電力を測定し、無線送信特性評価を行う。
【００２１】
試験を開始する際には、試験項目を指示する信号が外部から試験装置１００の制御部１１０に入力される。
【００２２】
試験項目が無線送信特性試験である場合、試験装置１００は、移動端末装置１５０と、レイヤ３信号を伝送してＣＤＭＡ無線インターフェースによる無線接続を実現し、被測定用信号を伝送する。
【００２３】
まず、試験装置１００のプロトコル処理部１０１と移動端末装置１５０のプロトコル処理部１５１との間でレイヤ３信号が伝送される。
【００２４】
具体的には、プロトコル処理部１０１にて生成されたレイヤ３信号が、ＲＬＣ部１０２、ＭＡＣ部１０３、レイヤ１送信部１０４を経てＣＤＭＡ無線インターフェース上に送信され、レイヤ１受信部１５５、ＭＡＣ部１５３、ＲＬＣ部１５２を経てプロトコル処理部１５１に受信される。また、プロトコル処理部１５１にて生成されたレイヤ３信号が、ＲＬＣ部１５２、ＭＡＣ部１５３、レイヤ１送信部１５４を経てＣＤＭＡ無線インターフェース上に送信され、レイヤ１受信部１０５、ＭＡＣ部１０３、ＲＬＣ部１０２を経てプロトコル処理部１０１に受信される。
【００２５】
このレイヤ３信号の伝送の際、移動端末ＲＬＣ制御部１０９は、ＲＬＣ部１５２に対してＲＬＣ機能の１つであるＳＴＡＴＵＳ#ＰＤＵ（シグナリング信号）の周期的な自律送信の停止を通知する。
【００２６】
このプロトコル処理部１０１とプロトコル処理部１５１との間でレイヤ３信号を伝送することにより、ＣＤＭＡ無線インターフェースの設定（レイヤ１に関する通信内容や通信速度等の調整）が行われる。
【００２７】
次に、試験装置１００の被測定用信号生成部１０６、被測定用信号判定部１０８と移動端末装置１５０の折り返し部１５６との間で、無線送信特性試験のための被測定用信号が伝送される。その際、送信電力測定装置２００は、試験装置１００の制御部１１０から試験条件が整った旨の通知を受け、測定を開始する。
【００２８】
具体的には、被測定用信号生成部１０６にて生成された被測定用信号が、ＰＤＣＰ部１０７、ＲＬＣ部１０２、ＭＡＣ部１０３、レイヤ１送信部１０４を経てＣＤＭＡ無線インターフェース上に送信され、レイヤ１受信部１５５、ＭＡＣ部１５３、ＲＬＣ部１５２、ＰＤＣＰ部１５７を経て折り返し部１５６に受信される。そして、折り返し部１５６に受信された被測定用信号が、ループバック機能により、予め規定されている所定の折り返し規則に従って折り返し送信される（以下、この折り返し部１５６における処理を「折り返し処理」という）。折り返し部１５６から送信された被測定用信号は、ＰＤＣＰ部１５７、ＲＬＣ部１５２、ＭＡＣ部１５３、レイヤ１送信部１５４を経てＣＤＭＡ無線インターフェース上に送信され、レイヤ１受信部１０５、ＭＡＣ部１０３、ＲＬＣ部１０２、ＰＤＣＰ部１０７を経て被測定用信号判定部１０８に受信される。被測定用信号判定部１０８は、受信した被測定用信号に基づいて無線特性評価を行う。また、レイヤ１送信部１５４からＣＤＭＡ無線インターフェース上に送信された被測定用信号は、送信電力測定装置２００に受信される。送信電力測定装置２００は、受信した被測定用信号に基づいて無線送信特性評価を行う。
【００２９】
ここで、折り返し処理の際、ＲＬＣ部１５２は、移動端末ＲＬＣ制御部１０９からの通知に基づいてシグナリング信号の送信を停止し、被測定用信号のみを送信する。この結果、上りの送信電力は一定となる。
【００３０】
ＲＬＣ部１５２にシグナリング信号の送信停止を通知する方法として、（１）移動端末ＲＬＣ制御部１０９からプロトコル処理部１０１、ＲＬＣ部１０２、ＭＡＣ部１０３、レイヤ１送信部１０４、レイヤ１受信部１５５、ＭＡＣ部１５３、ＲＬＣ部１５２を介してプロトコル処理部１５１に制御信号を送信し、プロトコル処理部１５１がＲＬＣ部１５２に通知する方法、（２）移動端末ＲＬＣ制御部１０９から外部インターフェース１５８を介して制御部１５９に制御信号を送信し、制御部１５９がＲＬＣ部１５２に通知する方法等が考えられる。
【００３１】
なお、試験開始前に予めＲＬＣ部１５２におけるシグナリング信号の送信を停止してもよい。この場合には、図２に示すように、（３）外部制御装置３００と移動端末装置１５０とを接続し、外部制御装置から外部インターフェース１５８を介して制御部１５９に制御信号を送信し、制御部１５９がＲＬＣ部１５２に通知する方法、（４）使用者の操作による指示を制御部１５９に伝達する操作部１６０を移動端末装置１５０に設け、操作部１６０から制御部１５９に制御信号を送信し、制御部１５９がＲＬＣ部１５２に通知する方法等が考えられる。
【００３２】
このように、本実施の形態では、試験項目を判定し、無線送信特性試験の際には移動端末装置１５０のＲＬＣ部１５２におけるシグナリング信号の送信を停止させ、上りの送信電力を一定にする。
【００３３】
なお、試験最中に、制御部１１０及び制御部１５９は、装置内の各部の制御を行う。
【００３４】
次に、本実施の形態に係る試験装置が行う移動端末装置の無線送信特性試験のための通信手順を、図３のシーケンス図を用いて説明する。
【００３５】
まず、ステップ０で、試験装置が試験項目の通知を受け、無線送信特性試験が選択されたことを判断する。ステップ１で、試験装置が移動端末装置に試験開始を示す着信の信号を送信し、ステップ２で、移動端末装置がこの信号を受信すると試験装置にＣＤＭＡ無線インターフェースによる無線接続開始を要求する信号を送信する。そして、ステップ３で、試験装置が移動端末装置にＣＤＭＡ無線インターフェースの設定を要求する信号を送信し、ステップ４で、移動端末装置がこの信号に基づいて設定を行い試験装置にＣＤＭＡ無線インターフェースの設定完了を報告する信号を送信する。そして、ステップ５でステップ１における着信に対する応答信号を送信する。
【００３６】
このステップ３において、移動端末装置からのＳＴＡＴＵＳ#ＰＤＵ（シグナリング信号）の周期的な自律送信の停止を設定することが本願発明の特徴である。
【００３７】
次に、ステップ６で、試験装置が移動端末装置に試験用のモードとして不要なレイヤ３信号の排除を要求する信号を送信し、ステップ７で、移動端末装置がこの信号に基づいてレイヤ３信号の排除を行い試験装置に排除完了を報告する信号を送信する。
【００３８】
次に、ステップ８で、試験装置が移動端末装置に被測定用信号を伝送するためのレイヤ１、レイヤ２の条件設定を要求する信号を送信し、ステップ９で、移動端末装置がこの信号に基づいてレイヤ１、レイヤ２の条件の設定を行い試験装置に設定完了を報告する信号を送信する。
【００３９】
次に、ステップ１０で、試験装置が移動端末装置の折り返し部１５６に折り返し処理を実行するための条件設定を要求する信号を送信し、ステップ１１で、移動端末装置がこの信号に基づいて折り返し処理の条件の設定を行い試験装置に設定完了を報告する信号を送信する。
【００４０】
その後、試験装置によって移動端末装置の無線送信特性試験が行われる。その際、折り返し処理においてシグナリング信号の送信が停止されているので、上りの送信電力は一定となる。
【００４１】
試験終了後、ステップ１２で、試験装置が移動端末装置の折り返し部１５６に折り返し処理の解放を要求する信号を送信し、ステップ１３で、移動端末装置がこの信号に基づいて折り返し処理の解放を行い試験装置に解放完了を報告する信号を送信する。
【００４２】
最後に、ステップ１４で、試験装置が移動端末装置にＣＤＭＡ無線インターフェースの解放を要求する信号を送信し、ステップ１５で、移動端末装置がこの信号に基づいてＣＤＭＡ無線インターフェースの解放を行い試験装置に解放完了を報告する信号を送信する。
【００４３】
以上の通信手順により、本実施の形態に係る試験装置が行う移動端末装置の無線送信特性試験が完了する。
【図面の簡単な説明】
【００４４】
【図１】本発明の一実施の形態に係る試験装置及び移動端末装置の構成を示すブロック図
【図２】上記実施の形態に係る試験装置及び移動端末装置の他の構成を示すブロック図
【図３】上記実施の形態に係る試験装置が行う移動端末装置の無線送信特性試験のための通信手順を示すシーケンス図
【符号の説明】
【００４５】
１００  試験装置
１０１、１５１  プロトコル処理部
１０２、１５２  ＲＬＣ部
１０３、１５３  ＭＡＣ部
１０４、１５４  レイヤ１送信部
１０５、１５５  レイヤ１受信部
１０６  被測定用信号生成部
１０７、１５７  ＰＤＣＰ部
１０８  被測定用信号判定部
１０９  移動端末ＲＬＣ制御部
１１０、１５９  制御部
１５０  移動端末装置
１５６  折り返し部
１５８  外部インターフェース
１６０  操作部
２００  送信電力測定装置
３００  外部制御装置
【図１】
0003614847.tif 000002
【図２】
0003614847.tif 000003
【図３】
0003614847.tif 000004